(57)【特許請求の範囲】
【請求項１】
リモコンにより所定の各種モードに指定され得る照明器具への給電路を開閉する開閉部を備えた壁スイッチにおいて、
前記照明器具の各種モードを検知する検知手段と、
前記検知手段により検知された前記照明器具のモード及び前記開閉部の開閉状態を表示する表示手段とをさらに備え、
前記表示手段は、前記開閉部の開閉状態と前記照明器具のモードとを個々に表示する手段で成り、前記開閉部を開閉するための操作ハンドルに取り付けられていることを特徴とする壁スイッチ。
【請求項２】
前記検知手段は、前記照明器具への給電路に流れる電流を検知する電流センサにより構成されていることを特徴とする請求項１に記載の壁スイッチ。
【請求項３】
前記検知手段は、前記リモコンから照明器具に無線送信され照明器具の各種モードを指定する指定信号を受信するリモコン受信部により構成されていることを特徴とする請求項１に記載の壁スイッチ。
【請求項４】
前記検知手段は、前記照明器具による照明光の照度を検知する照度センサにより構成されていることを特徴とする請求項１に記載の壁スイッチ。
【請求項５】
前記検知手段は、
前記リモコンから照明器具に無線送信され照明器具の各種モードを指定する指定信号を受信するリモコン受信部と、
前記照明器具による照明光の照度を検知する照度センサを有し、
前記リモコン受信部により受信された指定信号と、前記照度センサによる検知結果とに基づき、前記照明器具の各種モードを検知することを特徴とする請求項１に記載の壁スイッチ。
【発明の詳細な説明】
【技術分野】
【０００１】
本発明は、壁面に配設され、照明器具への給電路を開閉する壁スイッチに関する。
【背景技術】
【０００２】
従来の壁スイッチを備えた照明システムの構成を図５に示す。この照明システム１００は、所定の各種モードを有する照明器具１０１と、商用電源Ｐ１から照明器具１０１への給電路を開閉する壁スイッチ１０２と、照明器具１０１の各種モードを遠隔指定可能なリモートコントローラ（以下、リモコンという）１０３とを備える。照明器具１０１の各種モードには、主光源の光出力が所定の最高値となる全点灯モード、主光源が調光制御されその光出力が全点灯時よりも低い調光モード、補助光源の豆球のみが点灯する豆球モード、及び消灯モードが含まれる。壁スイッチ１０２は、押下げ操作される操作ハンドルを有し、この操作ハンドルへの操作に応じて照明器具１０１への給電路を開閉する。リモコン１０３は、操作に応じて信号を給電状態にある照明器具１０１に無線送信し、照明器具１０１を各種モードに指定する。
【０００３】
図６は、壁スイッチ１０２の開閉状態と照明器具１０１の各種モードとに応じた照明器具１０１の点灯／消灯状態を示す。壁スイッチ１０２が閉状態であり、かつ、照明器具１０１が全点灯、調光、又は豆球モードであるとき、照明器具１０１は点灯する。壁スイッチ１０２が閉状態であり、かつ、照明器具１０１が消灯モードの場合に照明器具１０１は消灯し、壁スイッチ１０２が開状態である場合には照明器具１０１がいずれのモードであっても消灯する。
【０００４】
しかしながら、照明システム１００においては、照明器具１０１が消灯状態にあるとき、壁スイッチ１０２の開閉状態と照明器具１０１のモードとを一意的に定まらず、そのため、ユーザが現状を把握できず、照明器具１０１を消灯状態から点灯状態に切り替える際に操作に手間取る虞がある。例えば、壁スイッチ１０２は閉状態であり、照明器具１０１が消灯モードであり、これにより、照明器具１０１が消灯状態にあった場合、ユーザは壁スイッチ１０２が開状態なので照明器具１０１は消灯状態にあると考え、壁スイッチ１０２を操作する虞がある。そうしたとしても、照明器具１０１は消灯モードのままであり、さらには壁スイッチ１０２が開状態となるので、照明器具１０１は消灯したままである。そのため、ユーザが壁スイッチ１０２を閉状態に戻し、さらにリモコン１０３を操作してモード切替を行う必要が生じる。このため、点灯操作に手間がかかる。
【先行技術文献】
【特許文献】
【０００５】
【特許文献１】特開平１１−０２５８２２号公報
【発明の概要】
【発明が解決しようとする課題】
【０００６】
本発明は、上記の従来の問題を解決するためになされたものであり、リモコンにより所定の各種モードに指定され得る照明器具への給電路を開閉する開閉部を備えた壁スイッチにおいて、ユーザが現在の照明器具のモードと開閉部の開閉状態を認知することができ、ユーザによる照明器具の点灯／消灯操作の手間を軽減することができる壁スイッチを提供することを目的とする。
【課題を解決するための手段】
【０００７】
上記目的を達成するために請求項１の発明は、リモコンにより所定の各種モードに指定され得る照明器具への給電路を開閉する開閉部を備えた壁スイッチにおいて、前記照明器具の各種モードを検知する検知手段と、前記検知手段により検知された前記照明器具のモード及び前記開閉部の開閉状態を表示する表示手段とをさらに備え、前記表示手段は、前記開閉部の開閉状態と前記照明器具のモードとを個々に表示する手段で成り、前記開閉部を開閉するための操作ハンドルに取り付けられているものである。
【０００８】
請求項２の発明は、請求項１に記載の壁スイッチにおいて、前記検知手段は、前記照明器具への給電路に流れる電流を検知する電流センサにより構成されているものである。
【０００９】
請求項３の発明は、請求項１に記載の壁スイッチにおいて、前記検知手段は、前記リモコンから照明器具に無線送信され照明器具の各種モードを指定する指定信号を受信するリモコン受信部により構成されているものである。
【００１０】
請求項４の発明は、請求項１に記載の壁スイッチにおいて、前記検知手段は、前記照明器具による照明光の照度を検知する照度センサにより構成されているものである。
【００１１】
請求項５の発明は、請求項１に記載の壁スイッチにおいて、前記検知手段は、前記リモコンから照明器具に無線送信され照明器具の各種モードを指定する指定信号を受信するリモコン受信部と、前記照明器具による照明光の照度を検知する照度センサを有し、前記リモコン受信部により受信された指定信号と、前記照度センサによる検知結果とに基づき、前記照明器具の各種モードを検知するものである。
【発明の効果】
【００１２】
本発明によれば、照明器具の各種モードと、照明器具への給電路を開閉する開閉部の開閉状態とが表示手段により表示されるので、ユーザはそれらを認知して照明器具及び開閉部の現状を把握することができ、従って、照明器具の点灯／消灯のために取るべき操作が判り、このため、操作の手間を軽減することができる。
【図面の簡単な説明】
【００１３】
【図１】（ａ）は本発明の一実施形態に係る壁スイッチを備えた照明システムの斜視図、（ｂ）はその配線図、（ｃ）は上記壁スイッチの斜視図。
【図２】上記照明システムの電気的ブロック図。
【図３】上記壁スイッチの各状態と照明器具の各種モードとにおける照明器具への供給電流量及び照明器具の点灯状態を示す図。
【図４】本発明の他の構成例に係る壁スイッチを備えた照明システムの電気的ブロック図。
【図５】従来の壁スイッチを備えた照明システムの配線図。
【図６】上記照明システムの壁スイッチの各状態と照明器具の各種モードとにおける照明器具の点灯状態を示す図。
【発明を実施するための形態】
【００１４】
以下、本発明の一実施形態に係る壁スイッチについて図面を参照して説明する。図１（ａ）〜（ｃ）は、本実施形態に係る壁スイッチを備えた照明システムの構成を示す。この照明システム１は、照明器具２と、ユーザＵ１の操作に基づいて照明器具２を点灯又は消灯制御する壁スイッチ３及びリモートコントローラ（以下、リモコン）４とを備える。照明器具２は天井Ｃ１に取り付けられ、壁スイッチ３は壁面Ｗ１に取り付けられている。リモコン４はユーザＵ１が携帯可能な構成である。
【００１５】
照明器具２は、主光源と、豆球等の補助光源と、主光源を調光点灯するためのインバータ回路とを有する。照明器具２は４種のモード、詳しくは、主光源の光出力が所定の最高値となる全点灯モードと、主光源が調光点灯し、その光出力が全点灯時よりも低い調光モードと、補助光源の豆球のみが点灯する豆球モードと、主光源及び補助光源が消灯する消灯モードとが含まれる。
【００１６】
壁スイッチ３は、壁面Ｗ１に配設された器体３１と、器体３１の前面に設けられた１つの操作ハンドル３２と、器体３１に収容されており、操作ハンドル３２の操作に基づいて、商用交流電源（以下、電源）Ｐ１から照明器具２への給電路を開閉する開閉部（図示せず）とを備える。操作ハンドル３２には、開閉部の開閉状態を表示する状態表示ランプ３３ａと、照明器具２の全点灯、調光、豆球、又は消灯モードであることをそれぞれ表示する状態表示ランプ３３ｂ〜３３ｅとが取り付けられている。状態表示ランプ（以下、ランプという）３３ａ〜３３ｅは表示部３３（表示手段）を構成する。操作ハンドル３２はユーザＵ１が押下げ操作を１回行う毎に開閉部を開状態から閉状態へ、又は閉状態から開状態へ切り替え可能な構成とする。
【００１７】
ランプ３３ａ〜３３ｅはＬＥＤ等の光源により構成され、上記開閉部の状態と照明器具２のモードとを点灯表示する。ランプ３３ａは開閉部３４が開／閉状態のとき、消灯／点灯する。ランプ３３ｂ〜３３ｅは、それぞれ、照明器具２が全点灯、調光、豆球、消灯モードのときに点灯し、そうでないときには消灯する。ランプ３３ｂ〜３３ｅを点灯・消灯させる替わりとして、異色点灯してもよい。壁スイッチ３には、照明器具２の光源交換時等にランプ３３ａ〜３３ｅによる状態表示をリセットするためのボタン又はスイッチ等が設けられていることが望ましい。
【００１８】
リモコン４は、操作ボタン４１を有し、操作ボタン４１への操作に基づき、照明器具２の各種モードを指定する指定信号を赤外線に重畳して照明器具２へ無線送信する。赤外線の替わりとして可視光又は電波等を用いてもよい。照明器具２はこの指定信号に基づいて各種モードとなる。照明器具２は、開閉部が閉状態であり、かつ、当該器具が全点灯、調光、豆球モードのいずれかであるときにそれぞれの所定の光量で点灯し、その他のときには消灯する。
【００１９】
図２は、照明システム１の電気的構成を示す。照明器具２は、照明負荷２１と、リモコン４から無線送信された指定信号を受信可能な受信回路により構成されるリモコン受信部２２と、リモコン受信部２２により受信された指定信号に基づいて照明負荷２１を点灯制御する照明制御部２３とを有する。照明負荷２１は上述の主光源と補助光源とを含む。照明制御部２３は電源Ｐ１から給電されるマイクロプロセッサ等により構成され、上記指定信号に基づいて各種モードとなる。照明制御部２３は、全点灯、調光、豆球モードでは電源Ｐ１からの電力を照明負荷２１に供給して照明負荷２１を点灯させ、消灯モードではその電力を遮断して照明負荷２１を消灯させる。照明制御部２３は、壁スイッチ３が開状態であり、電源Ｐ１からの電流供給が遮断されている場合、リモコン４からの指定信号は受信せず、モードは変更されない。
【００２０】
壁スイッチ３は、表示部３３と、上述の開閉部３４と、開閉部３４を開閉制御する制御部３５とを有し、さらに、照明器具２の照明制御部２３の各種モードを検知する検知部３６（検知手段）とを備え、表示部３３は、検知部３６による検知結果及び開閉部３４の開閉状態に応じてランプ３３ａ〜３３ｅ（同図では図示せず）を点灯し、それらを表示する。開閉部３４は、例えばトライアック等の無接点タイプの半導体スイッチング素子により構成されており、給電線からの表示部３３、制御部３５等の電源確保を可能とする。制御部３５はメモリを含むマイクロプロセッサ等で構成され、操作ハンドル３２への操作に基づく開閉部３４の開閉制御と、検知部３６による照明器具２のモード検知と、表示部３３による表示制御とを行う。検知部３６は、照明器具２への給電路に流れる交流電流を検知する電流センサにより構成されている。照明器具２への供給電流は、照明器具２の各種モードに応じた照明負荷２１の駆動電流変化に起因して増減し、この供給電流検知により照明器具２のモード検知が行われる。
【００２１】
制御部３５は、照明器具２のモード検知において、検知部３６による電流検知値と、照明器具２の各種モードに対応する電流基準値とを比較し、これにより、照明器具２の現状のモードを検知する（検知手段）。電流基準値は予め設定され、制御部３５に格納されている。照明器具２への供給電流は開閉部３４の開閉状態により変わるので、電流基準値は開閉部３４の各状態毎に設定されており、上述の検知値との比較の際には、現状の開閉状態に対応する基準値が選択される。また、供給電流は照明負荷２１の定格ワット数に応じて変わるので、電流基準値は照明負荷２１の定格ワット数に応じて設定可能であることが望ましい。この設定は操作ボタン等を有する操作部を操作して行う。制御部３５は給電路の一配線の交流電圧を整流する整流回路を有し、この整流回路により整流して得た駆動電圧により動作する。
【００２２】
図３は、照明器具２が各種モードに指定され、開閉部３４が開閉されたときの検知部３６による電流検知値を示す。開閉部３４が開状態である場合、照明器具２が消灯モードのときには、壁スイッチ３の制御部３５を駆動するための微小電流Ｉ１が検知される。照明器具２が豆球／調光／全点灯モードのときには、微小電流Ｉ１と略同値の微小電流Ｉ２が検知される。この場合、照明器具２が豆球／調光／全点灯モードのいずれのモードでも電流値が略同じとなるので、制御部３５は開閉部３４が開状態となる前のモードを記憶しており、そのモードに対応するランプ３３ｂ〜３３ｅのいずれかを点灯させる。
【００２３】
開閉部３４が閉状態であり、かつ、照明器具２が消灯モードである場合、小電流Ｉ３が流れる。この小電流Ｉ３はリモコン受信部２２により信号を受信できるように照明制御部２３を駆動するのに必要な駆動電流に上述の微小電流Ｉ１又は微小電流Ｉ２を足して得られる電流である。
【００２４】
開閉部３４が閉状態であり、かつ、照明器具２が豆球／調光／全点灯モードである場合には、それぞれ、大電流Ｉ４、Ｉ５、Ｉ６が流れる。これらＩ４、Ｉ５、Ｉ６は照明負荷２１を各モードに応じた光量で点灯駆動するのに必要な駆動電流に上述の小電流Ｉ３を足して得られる電流である。
【００２５】
本実施形態の壁スイッチ３においては、照明器具２の各種モードと、照明器具２への給電路を開閉する開閉部３４の開閉状態とが表示部３３により表示されるので、ユーザはそれらを認知して照明器具２及び開閉部３４の現状を把握することができる。例えば、照明器具２が消灯している場合、壁スイッチ３の開閉部３４が開状態であるか、又は照明器具２が消灯モードであるかを把握することができる。従って、照明器具２の点灯／消灯のために取るべき操作が判り、このため、操作の手間を軽減することができる。
【００２６】
また、検知部３６は照明器具２への供給電流を電流センサにより構成されるので、照明光の照度を検知する照度センサ、又はリモコン４からのモード指定信号を受信するリモコン受信部で構成する場合と比べ、検知部３６の配置制限が少なくなり、壁スイッチ３の配置位置の自由度が高くなる。
【００２７】
図４は、照明システム１の他の構成例を示す。本構成例の壁スイッチ３の検知部３６は、図２に示す構成例における電流センサの替わりとして、リモコン４から照明器具２に無線送信され照明器具２の各種モードを指定する指定信号を受信するリモコン受信部３６ａと、照明器具２による照明光の照度を検知する照度センサ３６ｂとを有する。制御部３５は、リモコン受信部３６ａにより受信された指定信号と、照度センサ３６ｂによる検知結果とに基づき、照明器具２の各種モードを検知する。
【００２８】
制御部３５は、照明器具２が各種モードの際の照度基準値を予め記憶しており、照度センサ３６ｂによる照度検知値と、それら照度基準値とを比較し、これにより、照明器具２のモードを検知する。制御部３５は、照度センサ３６ｂによるモード検知結果と、リモコン受信部３６ａにより受信した指定信号で指定されたモードとを照合し、それらが一致した場合にその検知結果を正しい結果とみなし、この結果に応じて表示部３３を表示制御する。照合結果が不一致の場合には、結果をリセットしてもよいし、リモコン受信部３６ａと照度センサ３６ｂのそれぞれにより検知されたモードに該当するランプ３３ｂ〜３３ｅのいずれかを点滅させ、エラー表示を行ってもよい。本構成例においても、制御部３５は開閉部３４が閉状態から開状態とされた場合、閉状態のときの照明器具２のモードを記憶しており、そのモードに応じて表示部３３を駆動制御する。
【００２９】
リモコン受信部３６ａはリモコン４から送出される指定信号と同じ通信方式の信号を受信可能な無線受信回路を含み、受信アンテナが器体３１前面に配設されている。照度センサ３６ｂは器体３１前面の照明器具２からの受光が可能な部位に配置されている。
【００３０】
なお、本発明は、上記実施形態及び各種構成例の構成に限定されるものでなく、使用目的に応じ、様々な変形が可能である。例えば、表示部３３の替わりとして、開閉部３４の開閉状態と、照明器具２の各モードとを音声で報知するスピーカが設けられていてもよい。
【符号の説明】
【００３１】
２  照明器具
３  壁スイッチ
３３  表示部（表示手段）
３４  開閉部
３５  制御部（検知手段を構成）
３６  検知部（検知手段を構成）
３６ａ  リモコン受信部（検知手段を構成）
３６ｂ  照度センサ（検知手段を構成）
４  リモコン
Ｗ１  壁面
【図１】
0005554021.tif 000002
【図２】
0005554021.tif 000003
【図３】
0005554021.tif 000004
【図４】
0005554021.tif 000005
【図５】
0005554021.tif 000006
【図６】
0005554021.tif 000007